(57)【要約】【課題】咬合調節機能を内蔵する人工歯が大量生産に適すようにシンプルに構成されて、義歯製作時の重合操作でも人工歯自体が変形・破損を生じない人工歯を得る。【解決手段】人工歯の咬合面部（１）と結合部（２）との間に、３７℃以上１２５℃以下の範囲の任意の温度で熱可塑性を有し、▲１▼軟化すること、▲２▼質量的に膨張すること、を特徴とする調節層（３）を設けて、技工操作中はストッパー（４）により咬合面部（１）と結合部（２）とが強固に固定されて人工歯を形成し破損・変形を防止するが、口腔内装着時の咬合調節時にはストッパーを削除もしくは除去することにより対合歯の咬合圧を利用して咬合調節を可能とする人工歯。【選択図】　　図１
2004105661.tif 000002
【特許請求の範囲】
【請求項１】
人工歯を形成する断面が、基本的には咬合面部（１）と結合部（２）との間に、３７℃以上１２５℃以下の範囲内の任意の温度で軟化と膨張とをする熱可塑性膨張性材料から成る調節層（３）を設け、前記咬合面部（１）と前記結合部（２）とを、少なくとも一ヵ所以上で保持・固定するストッパー（４）を設けたことを特徴とする人工歯。
【請求項２】
人工歯のストッパー（４）を解除して、３７℃以上１２５℃以下の範囲内の任意の温度で調節層（３）をあたためた時、前記調節層（３）が軟化と膨張とをして、当該人工歯の咬合面部（１）を対合歯方向に挙上して、対合歯が安定した位置を確保して咬合した時に、対合歯の咬合圧を当該人工歯の咬合面（１）が受けて調節層（３）を圧縮変形して歪みを吸収したまま放熱した時、当該人工歯が硬質な材質に変化して咬合調節を終える人工歯。
【請求項３】
人工歯の調節層（３）の材質が熱可塑性合成樹脂・熱可塑性プラスチック・熱可塑性天然樹脂・熱可塑性エラストマー・複合材料・繊維複合材・繊維強化熱可塑性樹脂・熱可塑性の高分子材料の導電性ポリマー・金属粉又はカーボン含有の導電性合成樹脂・高分子自体が導電性を有する導電性合成樹脂・形状記憶合成樹脂・形状記憶合金の少なくとも一つ以上の材質を使用していることを特徴とする請求の範囲第１項及び第２項記載の人工歯。
【請求項４】
人工歯を形成する断面が、基本的には咬合面部（２０）と結合部（２１）との間に、調節層（２２）を設けて、前記咬合面部（２０）と結合部（２１）とがストッパー（２３）で保持固定して、前記咬合面部（２０）の内面に弾性体上端部（２５）が固着して、前記咬合面部（２０）の内面に弾性体下端部（２６）が固着して、前記調節層（２２）内では圧縮変形されて歪みのエネルギーを吸収したままの弾性体中央部（２４）からなる少なくとも一つ以上の弾性体を設けたことを特徴とする人工歯。
【請求項５】
人工歯の調節層（２２）が、３７℃以上１２５℃以下の範囲内の任意の温度で軟化する熱可塑性材料であることを特徴とする請求の範囲第４項記載の人工歯。
【請求項６】
人工歯の調節層（２２）が、３７℃以上１２５℃以下の範囲内の任意の温度で軟化することと膨張することを特徴とする熱可塑性材料であることを特徴とする請求の範囲第４項記載の人工歯。
【請求項７】
人工歯の調節層（２２）の材質が、熱可塑性合成樹脂・熱可塑性プラスチック・熱可塑性天然樹脂・熱可塑性エラストマー・複合材料・繊維複合材・繊維強化熱可塑性樹脂・熱可塑性の高分子材料の導電性ポリマー・金属粉又はカーボン含有の導電性合成樹脂・高分子自体が導電性を有する導電性合成樹脂・形状記憶合成樹脂・形状記憶合金の少なくとも一つ以上の材質を使用していることを特徴とする請求の範囲第４項，第５項及び第６項記載の人工歯。
【請求項８】
人工歯を咬合調節する時に、３７℃以上１２５℃以下の範囲内の任意の温度を人工歯に与えた時に、人工歯の咬合面部が始めに対合歯方向に移動して、対合歯の咬合圧を当該人工歯の前記咬合面部が受けて対合歯との咬合関係が安定した位置を確保する所まで前記咬合面部が移動を終了したところで当該人工歯が放熱し咬合調節を終えて硬質な材質に変化することを特徴とする人工歯。
【請求項９】
人工歯を咬合調節する時に、人工歯に可視光線を照射した時に、始めに人工歯の咬合面部が対合歯方向に挙上して、対合歯の咬合圧を受けて咬合の安定した位置を確保するまで咬合面部が移動して、当該人工歯の咬合面が安定した咬合関係を確保した所で硬質な材質に変化することを特徴とする人工歯。
【請求項１０】
人工歯を咬合調節する時に、人工歯に電磁波を照射した時に、始めに人工歯の咬合面部が対合歯方向に挙上して、対合歯の咬合圧を受けて咬合の安定した位置を確保するまで咬合面部が移動して、当該人工歯の咬合面が安定した咬合関係を確保した所で硬質な材質に変化することを特徴とする人工歯。
【請求項１１】
人工歯を形成する断面が、基本的には咬合面部（３０）と結合部（３１）との間に、歪みのエネルギーを吸収したままの弾性体を少なくとも一個以上格納した調節層（３２）を設け、前記咬合面部（３０）と結合部（３１）とを保持固定のために一ヶ所以上でストッパー（３３）を設けたことを特徴とする人工歯。
【請求項１２】
人工歯を形成する断面が、基本的には咬合面部（３０）と結合部（３１）との間に、歪みのエネルギーを吸収したままの弾性体を少なくとも一個以上格納した調節層（３２）を設け、前記咬合面部（３０）と結合部（３１）とを保持固定のために一ヶ所以上でストッパー（３３）を設けた人工歯で、調節層（３２）の材質が３７℃以上１２５℃以下の範囲の任意の温度で軟化する熱可塑性膨張性材料であることを特徴とする人工歯。
【請求項１３】
人工歯の調節層（３２）の材質が、熱可塑性合成樹脂・熱可塑性プラスチック・熱可塑性天然樹脂・熱可塑性エラストマー・複合材料・繊維複合材・繊維強化熱可塑性樹脂・熱可塑性の高分子材料の導電性ポリマー・金属粉又はカーボン含有の導電性合成樹脂・高分子自体が導電性を有する導電性合成樹脂・形状記憶合成樹脂・形状記憶合金の少なくとも一つ以上の材質を使用していることを特徴とする請求の範囲第１１項及び第１２項記載の人工歯。
【請求項１４】
人工歯（４０）を３７℃以上１２５℃以下の範囲の任意の温度で、軟化することと膨張することを特徴とし、対合歯の咬合圧を受けて安定した咬合を得た所で前記人工歯が圧縮変形を吸収したまま硬質な人工歯に変化する人工歯。
【請求項１５】
人工歯（４０）に可視光線を照射することにより人工歯（４０）が軟化することと膨張することを特徴として、対合歯の咬合圧を受けて安定した咬合を得た所で前記人工歯が圧縮変形を吸収したまま硬質な人工歯に変化する人工歯。
【請求項１６】
人工歯（４０）に電磁波を照射することにより人工歯（４０）が、軟化することと膨張することを特徴として、対合歯の咬合圧を受けて安定した咬合を得た所で前記人工歯が圧縮変形を吸収したまま硬質な人工歯に変化する人工歯。
【請求項１７】
人工歯を形成する断面が、基本的には咬合面部（５０）と結合部（５１）との間に、マイクロ波を吸収することにより咬合調節を終える時間軟化と膨張とをする調節層（５２）を設けた人工歯で、対合歯の咬合圧を受けて前記咬合面部が安定な位置を確保した時に前記調節層（５２）が歪みを吸収したまま硬化して、咬合調節を終了する人工歯。
【請求項１８】
人工歯を形成する断面が、基本的には咬合面部（５０）と結合部（５１）との間に、可視光線を吸収することにより咬合調節を終える時間軟化と膨張とをする調節層（５２）を設けた人工歯で、対合歯の咬合圧を受けて前記咬合面部が安定な位置を確保した時に前記調節層（５２）が歪みを吸収したまま硬化して、咬合調節を終了する人工歯。
【請求項１９】
人工歯を形成する断面が、基本的には咬合面部（６０）と結合部（６１）とが少なくとも一ヶ所以上でストッパー（６６）で保持固定されて、前記咬合面部（６０）と前記結合部（６１）との間に、歪みを吸収したままのバネ（６４）を少なくとも一つ以上格納して前記バネ（６４）のバネ上端（６５）が前記咬合面部（６０）内面に固着しバネ下端（６２）が前記結合部（６１）内面に固定するバネ（６４）を、３７℃以上１２５℃以下の範囲内の任意の温度で軟化して可塑性を有する熱可塑性材料からなる調節層（６３）内に設けたことを特徴とする人工歯。
【請求項２０】
人工歯を形成する断面が、基本的には咬合面部（７０）と結合部（７１）とが少なくとも一ヶ所以上でストッパー（８０）で保持固定されて、前記咬合面部（７０）と前記結合部（７１）との間に、保持ポール（７９）と歪みを吸収したままのバネ（７３）を格納して、３７℃以上１２５℃以下の範囲内の任意の温度で軟化して可塑性を有する熱可塑性材料からなる調節層（７２）内に設けたことを特徴とする人工歯。
【発明の詳細な説明】
【０００１】
【発明に関する技術分野】
本発明は、人工歯の咬合調節を咬合面を切削することなく、人工歯内部に対合歯の咬合圧を利用する調節機能を内蔵した人工歯が義歯製作時の技工操作でも変形・破損を生ずることなく、又咬合調節時でも対合歯との関係を円滑に調節可能で、しかも構造がシンプルで大量生産に適すとともに、簡単な操作で咬合調節が可能な人工歯に関する。
【０００２】
【従来の技術】
従来から知られているＷＯ　０１／２４７２２（Ｕｊｉ　Ｈｉｄｅｙｏ）のＣｌａｉｍ１２に、『臼歯の人工歯を形成する断面が基本的には咬合面部（２５１）と結合部（２５２）との間に、可塑性緩衝材（２５３）からなる調節層（２５４）を設けて、咬合圧にて沈下移動する咬合面部（２５１）が安定な咬合関係を得た場所で、可塑性緩衝材が硬化して人工歯全体が硬質な材質に変化することを特徴とする臼歯の人工歯』がある。
【０００３】
又、ＷＯ　０１／４７３３７（Ｕｊｉ　Ｈｉｄｅｙｏ）のＦｉｇ．２８Ｃｌａｉｍ４５に『臼歯の人工歯を形成する断面が、基本的には結合部（１３００）と咬合面部（１３０１）との間に、可塑性緩衝材（１３０３）と少なくとも一つ以上のバネ（１３０４）を設けて、前記バネ（１３０４）のバネ上端（１３０５）が前記咬合面部（１３０１）内面で固着して、バネ下端（１３０２）が前記結合部（１３００）内面で固着することを特徴とする臼歯の人工歯』がある。
【０００４】
【発明が解決しようとする課題】
この種の人工歯の問題点は第一に対合歯の咬合圧を利用するため、咬合調節時、中心咬合位で対合歯と咬合していない時に咬合紙に当該人工歯が印記されない低い咬合の時は調節機能をはたせないことにある。
第二に、可塑性緩衝材の材質を熱可塑性材料にした時は、義歯製作時人工歯排列と歯肉形成を終えて義歯の重合手順で、▲１▼ろう義歯のフラスク内埋没▲２▼ワックスの流ろう▲３▼レジンの予備重合▲４▼レジン填入▲５▼レジン重合、という一連の操作の中で、▲２▼のワックスの流ろう時に熱により人工歯自体が変形・破損したり、▲４▼のレジン填入時には１ｃｍ２あたり４０〜６０ｋｇの加圧による圧力により人工歯が変形・破損を生じていた。
【０００５】
又、ＷＯ　０１／４７３３７（Ｕｊｉ　Ｈｉｄｅｙｏ）のＦｉｇ．２８Ｃｌａｉｍ４５のバネ（１３０１）は、第三に歪みを吸収したまま格納されるが、この状態で義歯製作時の重合手順の中で熱によりバネは開放してしまい、さらに第四にレジン填入時には加圧による圧力により人工歯が変形・破損を生じ、従来通りの義歯製作では使用不能に陥っていた。
第五に、バネを人工歯製作時に手作業で入れるには問題が無いにしても、金型を製作し、加圧成形や射出成形して大量に量産するには難があり、コスト面でも手作業が必要であり量産には不向きであった。
【０００６】
従って、本発明は、このような咬合調節機能を内蔵した人工歯が第一に咬合が低く対合歯と咬合していなくても咬合調節時には一度咬合面部が対合歯方向に上方移動して対合歯の咬合圧を的確に捉えてから咬合圧によって当該人工歯の咬合調節を可能とすると共に、上下の歯列弓に存在する人工歯及び歯牙の咬合平面の低い所は一度高く戻し、高い所は低くして全歯が咬合して咬合のバランスを整えることを目的としている。
又、本発明は、第二に義歯製作時、人工歯排列を終えて義歯の重合手順の一連の操作でも咬合調節機能を内蔵した人工歯が熱可塑性材料を使用する場合でも変形・破損を生じないことを目的としている。
又、本発明は、第三に人工歯内にバネを設けた人工歯が咬合調節時のみ機能を発揮することを目的としている。
又、本発明は、第四にレジン填入時の加圧による圧力でも人工歯が破損しないことを目的としている。
又、本発明は、第五に機能的な人工歯を大量生産に適すようにシンプルな構成とすることを目的としている。
【０００７】
【課題を解決するための手段】
本発明は、人工歯を形成する断面で、基本的には咬合面部と結合部との間に、咬合調節時に任意の軟化の条件を与えた時に一度咬合面部を対合歯方向に挙上して対合歯の咬合圧を的確に捉えるために可塑性と膨張性を有する可塑性膨張性材料からなる調節層を設けて、対合歯の咬合圧により当該人工歯の咬合面部が移動調節を終えた所で可塑性膨張性材料が歪みを吸収したまま硬化して硬質な人工歯を形成する構成とした。任意の軟化の条件とは熱・可視光線・マイクロ波・通電などどのようなものでも構わない。
又、加熱して可塑性膨張性材料を軟化させる調節層を設けた人工歯においては、技工操作中でも熱や加圧により咬合器上で咬合調節を終えた人工歯が変形・破損を生じないように咬合面部と結合部をしっかりと保持固定するためにストッパーを設けて実用化に適した人工歯とした。
【０００８】
【発明の実施の形態】
発明の実施の形態を実施例に基づき図面を参照して説明する。
図１は、咬合調節機能を熱可塑性膨張性材料が３７℃以上１２５℃以下の範囲の任意の温度で▲１▼軟化▲２▼膨張の両方の性能を兼ね備えた熱可塑性膨張性材料から成る調節層（３）が、義歯製作時重合操作手順の中の熱や加圧により、調節層（３）が熱可塑性により軟化した時結合部（２）や調節層（３）が破損や損傷を防ぐために義歯装着時までストッパー（４）が頬側と舌側に少なくとも一ヶ所以上。望ましくは舌側二ヵ所、頬側二ヵ所の歯冠表面の計四ヵ所に小さく存在し、咬合面部（１）と結合部（２）とが強固に連結して熱や加圧により調節層（３）が軟化しても人工歯全体の形状が変化・破損することを防いでいる。
義歯が製作されて患者の口腔内に装着する時点で、このストッパー（４）を削除もしくは除去した時初めて縦断面で三層構造すなわち咬合部（１）と調節層（３）と結合部（２）とからなる。ストッパー（４）は咬合面部（１）と結合部（２）と一体成形のものや脱着タイプなど色々なタイプが作られる。
咬合調節が必要な人工歯の調節層（３）を３７℃以上１２５℃以下の範囲の任意の温度にした時に、調節層（３）は軟化と膨張とをして、咬合面部（１）は一度対合歯方向へ挙上する。挙上した咬合面部（１）は、対合歯の咬合圧により位置移動を終了した時点で調節層（３）は歪みを吸収したまま硬化し、人工歯全体が硬質の材質として咬合調節を終える人工歯である。
【０００９】
図２は、人工歯のストッパー（１３）の位置関係を示す図である。ストッパー（１３）は少なくとも頬側もしくは舌側に一ヶ所以上望ましくは頬側の近遠心側に二ヶ所と舌側の近遠心側に二ヶ所である。
咬合面部（１０）と結合部（１１）との間にストッパー（１３）が僅かに突出し一体成形する場合とストッパー（１３）を脱着式にするものなど咬合面部（１０）と結合部（１１）とをしっかりと保持して固定するものであればどのようなストッパーの形式でも構わない。
又、一体成形した場合にはストッパー（１３）を削除することにより咬合面部（１０）と調節層（１２）と結合部（１１）は三層となり条件が付与され調節層（１２）が軟化した時咬合面部（１０）は自在に移動が可能となる。
【００１０】
図３は、圧縮された弾性体が歪みを吸収したまま人工歯内部に格納され、ストッパー（２３）と調節層（２２）により封入されているが、ストッパー（２３）を除去して調節層（２２）が軟化した時に、弾性体はそれまで吸収していたエネルギーを開放するために咬合面部（２０）を挙上する、咬合面部（２０）は対合歯の咬合圧を受けて、安定した位置を確保した所で弾性体中央部（２４）が歪みを吸収したままで調節層（２２）が硬化して硬質な人工歯を形成する。
弾性体中央部（２４）は調節層（２２）に位置して、弾性体上端部（２５）は咬合面部（２０）内に固着し、弾性体下端部（２６）は結合部（２１）内に固着する。数は少なくとも一つ以上望ましくは一例を挙げれば下顎大臼歯であれば機能咬頭である近心頬側咬頭頂下・遠心頬側咬頭頂下と非機能咬頭の一ヶ所と三点の配置が好適である。
【００１１】
図４は、人工歯の断面で咬合部（３０）と結合部（３１）との間に、調節層（３２）を設けて、前記調節層（３２）内に歪み即ちエネルギーを吸収したままの弾性体（３４）を少なくとも一つ以上設けて、前記咬合面部（３０）と結合部（３１）とが頬側舌側の少なくとも一ヶ所望ましくは頬側二ヶ所、舌側二ヶ所でストッパー（３３）により強固に保持する人工歯である。
調節層（３２）は軟化の条件が付与されるまでは、硬質な材質として人工歯全体を形づくるが、例えば軟化の条件が３７℃以上１２５℃以下の範囲の任意の温度の時に軟化した時可塑性を有す時には膨張性を有する時、ストッパー（３３）を解除した時に弾性体（３４）は歪みを開放即ちエネルギーを開放するために圧縮された状態から元の状態に戻るために前記咬合面部（３０）を対合歯方向に挙上する、対合歯の咬合圧により当該人工歯の咬合面部（３０）は咬合調節を終える時前記弾性体（３４）は歪みを吸収し圧縮変形した所でそれまで可塑性を有していた調節層（３２）が硬化した時、咬合調節を終了して人工歯全体が硬質な人工歯となる。
ストッパー（３３）は咬合面部（３０）と結合部（３１）と同じ材質で形成され一体型が望ましいが脱着式のストッパー形式でも構わない。
弾性体（３４）は少なくとも一つ以上望ましくは機能咬頭頂下の近遠心側二ヶ所と非機能咬頭一ヶ所。材質はゴム・シリコンゴム・合成樹脂など歪みを吸収・開放するものであればどのようなものでも構わない。
人工歯の咬合面部（１）と結合部（２）とがストッパー（４）により、しっかりと固定されているので、技工操作の重合手順の過程でも人工歯が熱による変形・破損を生じることなく、又、レジン填入圧でも変形・破損を生じない。
【００１２】
図５は、軟化の条件が付与された時に、軟化と膨張とをする材質で形成された人工歯の断面を示している。
人工歯の材質が軟化の条件即ち一例を挙げて説明するならば、熱による場合即ち３７℃以上１２５℃以下の任意の範囲内の温度で軟化する時、軟化とともに膨張する性質を兼ね備えた材質で形成された人工歯である。
咬合調節が必要な時任意の温度を与えて人工歯全体を軟化と膨張させ膨張した時人工歯の咬合面も挙上する。その時対合歯の圧力を受け、中心咬合位・側方運動・前方運動の少なくとも一つ以上の対合歯との安定した咬合関係を得た所で人工歯全体が放熱し硬化して咬合調節を終える人工歯である。
もう一例を挙げて説明するならば人工歯が可視光線により一時的に軟化して膨張する人工歯を使用して対合歯の咬合圧により当該人工歯が圧縮変形したまま安定した咬合関係を得た所で咬合調節を終える人工歯である。
軟化して膨張する　条件としては、温度・可視光線・電磁波・マイクロ波などどのような方法を使用する材質でも構わない。
【００１３】
図６は、人工歯の咬合面部（５０）と結合部（５１）との間に、調節層（５２）を設けて、前記調節層（５２）が軟化の条件即ち可視光線・マイクロ波・電磁波・温度変化などにより軟化とともに膨張する性質を兼ね備えた材質で形成される調節層（５２）を設けた人工歯の断面を示している。
前記調節層（５２）が、軟化して膨張することにより咬合面部（５０）は対合歯方向に挙上する、咬合面部（５０）は対合歯の咬合圧を受け安定した位置を確保した所で歪みを吸収したまま硬化し、人工歯全体が硬質な材質に変化し咬合調節を終える人工歯である。
【００１４】
図７は、咬合面部（６０）と結合部（６１）との間に、調節層（６３）を設けて、前記咬合面部（６０）と結合部（６１）とが咬合調節の時まで、少なくとも一ヶ所以上でストッパー（６６）によりしっかりと保持固定してあり咬合調節時ストッパー（６６）を切削もしくは除去する。
前記調節層（６３）内部には歪みを吸収したままのバネ（６４）を格納してありバネ上端（６５）が咬合面部（６０）の内に固着し、バネ下端（６２）が結合部（６１）内に固着している。
バネは少なくとも一ヶ所以上設け、バネは円錐形バネが望ましい。材質は合成樹脂・金属バネ・ステンレス・スチール・ベリウム青銅・鋼鉄などどのようなものでも構わない。
調節層（６３）は、軟化の条件例えば温度条件によるものであれば３７℃以上１２５℃以下の任意の温度条件で▲１▼軟化して可塑性を有して、ストッパー（６６）を切削もしくは解除した時に、バネ（６４）は歪みを開放するために咬合面部（６０）を対合歯方向に挙上する。
挙上した咬合面部（６０）は対合歯の咬合圧により安定した位置を確保した所でバネ（６４）は歪みを吸収したままで格納され調節層（６３）がそれまで可塑性を有して軟化していたが放熱して硬質な材質に変化して咬合調節を終えると人工歯全体が硬質な材質に変化する人工歯である。
又、調節層（６３）の材質が軟化して可塑性を有す場合と、▲１▼軟化とともに▲２▼膨張を兼ね備えた材質を使用する場合がある。
【００１５】
図８は、人工歯を形成する断面で、咬合面部（７０）と結合部（７１）との間に、調節層（７２）を設け、前記咬合面部（７０）と結合部（７１）とがストッパー（８０）により少なくとも一ヶ所以上望ましくは頬側二ヶ所と舌側二ヶ所の計四ヶ所で固定し保持する、前記調節層（７２）には回転軸方向に力を入れることにより破断する保持ポール破断点（７７）を有する保持ポール（７９）を格納し、保持ポール上端（７６）は咬合面部（７０）内に固着し、保持ポール下端（７８）が結合部（７１）内に固着し、破断までの間、咬合面部（７０）と結合部（７１）を保持・固定する。
歪みを吸収したままのバネ（７３）は結合部（７１）内にバネ下端（７５）を固着し、前記保持ポール（７９）の周囲を螺旋状に巻き付きながらバネ上端（７４）が咬合面部（７０）内面に固着する。
【００１６】
咬合調節時には、ストッパー（８０）を削除もしくは除去する。調節層（７２）を軟化して可塑性を有した時に、咬合調節を必要とする人工歯の咬合面部（７０）を回転軸方向即ち咬合面部（７０）を持って左右に回転することにより保持ポール破断点（７７）が破断した時、バネ（７３）が歪みを開放するために咬合面部（７０）を対合歯方向に挙上し、対合歯の咬合圧を得て安定した位置を得たところでバネは歪みを吸収したままで調節層（７２）が硬化して咬合面部（７０）は咬合調節を終える人工歯である。
調節層（７２）の材質が軟化して可塑性を有する場合と、▲１▼軟化とともに▲２▼膨張を兼ね備えた材質を使用する場合がある。
【発明の効果】
本発明は、以上説明したように構成されているので、以下に記載されるような効果を奏する。
【００１７】
人工歯の咬合面部（１）と結合部（２）とがストッパー（４）により、しっかりと固定されているので、技工操作の重合手順の過程でも人工歯が熱による変形・破損を生じることなく、又、レジン填入圧でも変形・破損を生じない。
【００１８】
又、調節層（３）は熱可塑性膨張性材料を使用するため、咬合調節が必要な時、３７℃〜１２５℃の任意の温度で▲１▼軟化と共に▲２▼膨張する構成としたので、咬合面部（１）は一度対合歯方向に位置移動する。この位置移動により口腔内全歯の中心咬合位での咬合の低い所は一度高くして、対合歯との接触関係を確保して咬合の安定を確保し、咬合調節が可能である。
【図面の簡単な説明】
【図１】人工歯の縦断面図である。
【図２】人工歯の正面図である。
【図３】人工歯の縦断面図である。
【図４】人工歯の縦断面図である。
【図５】人工歯の縦断面図である。
【図６】人工歯の縦断面図である。
【図７】人工歯の縦断面図である。
【図８】人工歯の縦断面図である。
【符号の説明】
１　咬合面部　　　　　３０　咬合面部　　　　　７０　咬合面部
２　結合部　　　　　　３１　結合部　　　　　　７１　結合部
３　調節層　　　　　　３２　調節層　　　　　　７２　調節層
４　ストッパー　　　　３３　ストッパー　　　　７３　バネ
５　義歯床歯槽部　　　３４　弾性体　　　　　　７４　バネ上端
３５　義歯床歯槽部　　　７５　バネ下端
１０　咬合面部　　　　　４０　人工歯　　　　　　７６　保持ポール上端
１１　結合部　　　　　　４１　義歯床歯槽部　　　７７　保持ポール破断点
１２　調節層　　　　　　５０　咬合面部　　　　　７８　保持ポール下端
１３　ストッパー　　　　５１　結合部　　　　　　７９　保持ポール
１４　義歯床歯槽部　　　５２　調節層　　　　　　８０　ストッパー
２０　咬合面部　　　　　５３　義歯床歯槽部
２１　結合部　　　　　　６０　咬合面部
２２　調節層　　　　　　６１　結合部
２３　ストッパー　　　　６２　バネ下端
２４　弾性体中央部　　　６３　調節層
２５　弾性体上端部　　　６４　バネ
２６　弾性体下端部　　　６５　バネ上端
２７　義歯床歯槽部　　　６６　ストッパー
【図１】
2004105661.tif 000003
【図２】
2004105661.tif 000004
【図３】
2004105661.tif 000005
【図４】
2004105661.tif 000006
【図５】
2004105661.tif 000007
【図６】
2004105661.tif 000008
【図７】
2004105661.tif 000009
【図８】
2004105661.tif 000010